(57)【特許請求の範囲】
【請求項１】
凹凸を有する構造化表面がそれぞれ画定された誘電体材料で構成された熱可塑性の可撓性を有するポリマーフィルムで構成された複数の構造化層を有し、複数の前記構造化層が積層体として構成されて、多孔性の立体を形成し、前記積層体の前面に開口する複数の入口開口部および対応する流体通路を画定していることを特徴とする濾過媒体。
【請求項２】
前記流体通路が、前記構造化層の前記構造化表面内に形成された複数の溝によって画定される、請求項１記載の濾過媒体。
【請求項３】
前記複数の構造化層の１つの構造化表面の少なくとも一部分を覆う層を備える、請求項１又は２に記載の濾過媒体。
【請求項４】
２つの隣接する構造化層の間に、構造化表面を有しない少なくとも１つの層をさらに含む、請求項１から３のいずれか１つに記載の濾過媒体。
【発明の詳細な説明】
【０００１】
技術分野
本発明は、高度に規則正しい流体通路を画定する構造化表面を有する少なくとも１つの層を含む濾過媒体および装置に関する。
【０００２】
背景技術
粒子を流体の流れから除去する濾過媒体および濾過装置を開発するときの重要な部分は、不織繊維技術の分野にある。溶融吹込マイクロファイバから誘導したウェブをマイクロデニールのステープルファイバのウェブに使用すると、ファイバのサイズを減少させて、ウェブの単位体積当たりの使用可能な表面積を増加する傾向があった。こうした不織布は、ミクロンまたはほぼミクロンのサイズの繊維を含む概してポリマーベースの絡み合い接合された低密度ウェブである。
【０００３】
繊維状フィルタにより流体の流れからの粒子の除去を調節する基本的なメカニズムは、直接的な阻止、衝突捕集、拡散および静電吸引である。阻止による粒子の収集は、ガス流線に続く粒子が濾過表面に衝突して、濾過表面により捕獲されるときに生じる。衝突捕集は、粒子が流体の流れから逸れて繊維に衝突するときに生じる。衝突した粒子は、どちらの場合も、ファンデルワールス力などのような力により繊維に付着する。拡散収集は、非常に小さい粒子のブラウン運動によって、粒子が濾過表面に接触する可能性が高まるときに生じる。粒子は、この運動によって流体の流線から逸脱し、個々のフィルタ繊維上に集合する。静電収集は、帯電粒子が、逆に帯電した収集表面にクーロン吸引によって吸引される重要なメカニズムである。
【０００４】
繊維状流体フィルタ、特にガスフィルタは、一般に、４つの捕獲メカニズムすべてを結合する。不織フィルタは、その本質的な特性によりこうした繊維状フィルタの利点を具体化する。しかし、濾過媒体としての不織布の制約も、不織布に本質的な特性から生じる。不織ウェブは、定義上、限られた幾何学的配列を有する不規則に賦形された構造である。こうした限られた配列は、シングル（ｓｈｉｎｇｌｅ）および繊維ネストとして周知されているマクロ構造を形成して生じる著しい不規則性によって明らかである。ウェブのマクロ構造は、繊維が局所的に集中して、孔のサイズの変化性およびウェブを横断する質量の変化性を生じる。したがって、繊維間の開口部が比較的大きい場合、粒子は開口部を通過し、この状態は無視されてきたが、開口が小さい場合は、粒子が詰まって無効になる。フィルタ媒体構造の場合、こうした制約は、フィルタを横断する比較的高度の流れ抵抗を犠牲にして、追加の材料を使用することにより緩和される。これらの効果は、濾過用途に使用するとき、加えられる流体の力により悪化し、その結果、ウェブ構造、ひいては濾過装置の効果を変える可能性がある。さらに、ウェブを製品、たとえばプリーツ形構造に機械的に賦形するときのウェブの圧力荷重も、繊維およびウェブをさらに変形させ、濾過効果を低下させる可能性がある。
【０００５】
表面積が広い不織ウェブを濾過媒体として使用する上でのその他の制約は、フィルタが、レスピレータなどのように不織ウェブの薄く平らな層を使用する場合、または室内、炉またはコンピュータフィルタなどのようなより３次元的な構造内でプリーツ形層を使用する場合に生じる。レスピレータ型フィルタの前面を横断する流体速度は、こうした個々のレスピレータの用途により、比較的遅い傾向があるが、循環空気フィルタの前面、つまり部屋、炉またはコンピュータフィルタを横断する流体速度は比較的速い傾向がある。しかし、どちらの状況でも、不織ウェブ材料は一般に表面装填フィルタとして機能し、最終的に表面の目詰まりを生じる。表面の目詰まりが生じる場合、フィルタ材料の最初に目詰まりが生じる層には、流体の流れから除去された微粒子状物質が充填されて閉塞する。したがって、フィルタは、フィルタ質量の比較的大部分を効果的に使用せず、フィルタの性能は、フィルタの体積ではなくフィルタ表面積に基づいて制限される。
【０００６】
複数の層を使用してフィルタの効率を高めることは、特にレスピレータ型フィルタの場合、流体がフィルタ層を通過するときに、媒体を横断する流れ抵抗が増加する可能性がある。流れ抵抗は、気体面速、並びにフィルタを通る曲がりくねった溝のサイズ、向きおよび数の関係の関数である。概して、表面積が比較的均一に分布しているフィルタ媒体は、比較的少ない材料を使用して全体的に比較的高度の濾過効率を達成し、その結果、媒体を横断する流れ抵抗が減少する。
【０００７】
フィルタ媒体を横断する流れ抵抗は、どの濾過装置の場合も一般的な構造上の制約である。流体速度は濾過前でも遅いため、流れ抵抗は面速が比較的低い用途で特に問題になり、フィルタ内の流れに対するどのような抵抗も、フィルタの出力に著しい影響を及ぼす。こうした流れ抵抗は、フィルタを使用して流体を取り扱うシステム全体に問題を生じる可能性がある。
【０００８】
繊維が比較的小さい不織ウェブのプリーツ形構造は、流れ抵抗を低下させて使用寿命を改善するために、面速が比較的速い用途に使用されることが多い。その理由は、一定容量で濾過表面が比較的多く、その結果、フィルタの枠組面積当たりの表面開口部の割合が増加するためである。しかし、不織ウェブがマイクロファイバから構成される場合、プリーツ形構造は、場合によってはウェブの嵩を減少させる可能性があり（Ｂｒａｕｎ等に付与された米国特許第５，６５６，３６８号参照）、比較的小さい繊維は表面の目詰まりを生じる可能性が比較的高いため、使用するマイクロファイバのサイズによって制限される場合がある。比較的大きい繊維の場合、フィルタは、実際の繊維表面積の減少により全体的な濾過容量が減少するという問題が生じる。
【０００９】
フィルタの効率を改善するもう１つの手段は、粒子に対するフィルタ繊維の吸引性が高まるようにフィルタ繊維を処理するか、または流体の流れからフィルタ繊維を除去することである。処理方法としては、繊維を受動的および能動的に帯電させる方法、粘着性材料を繊維に塗布する方法、触媒またはその他の反応性薬剤などのような化学的添加剤を塗布する方法、並びにその他のタイプの添加剤、たとえば脱臭剤、乾燥剤、消毒剤、芳香剤およびオゾン除去剤などを塗布する方法が挙げられる。これらの処理方法によって、繊維は確実に粒子を捕らえるが、上記の表面の目詰まりおよび流れ抵抗などの制限、無作為性の媒体に関連する欠点がなお問題になる。処理済フィルタ媒体の例としては、エレクトレットとして周知されている市販のフィルタ製品、たとえば３Ｍ  Ｃｏｍｐａｎｙが「Ｆｉｌｔｒｅｔｅ」の商標で市販しているものなどがある。
【００１０】
流体の流れから粒子を除去するために使用可能なその他のタイプのフィルタ媒体としては、織られたかまたは編まれた材料がある。これらのタイプの材料は、比較的規則正しい構造を有する傾向があるので、不織布に固有の制約はあまり受けない。しかし、これらの材料には、構成する繊維材料、繊維の形成およびウェブ構成の変化性により、構造の忠実度の調節に関する独特の問題がある。さらに、その他の問題として、非常に小さい孔の形成、構成材料のコストおよび製造コストなどの制約がある。
【００１１】
発明の開示
本発明は、効率的であり、深部の床に装填可能であり、低い流れ抵抗で機能し、高収集能力を有する濾過媒体または濾過装置を提供することにより、先行技術の不都合な点および欠点を克服する。さらに詳細には、本発明は、高度に規則正しい流体通路を画定する構造化表面を有する少なくとも１つの層を含む濾過媒体を提供する。好ましくは、本発明の濾過媒体は、フィルタ開口部と、濾過媒体を通る流体通路とが高度に規則正しい配列を画定する構造化表面を有する複数層の積層体を含む。
【００１２】
層の構造化表面は、流体通路を形成する溝を画定する形状構成を含むか、または流体通路を形成する不連続隆起などのような形状構成を含む場合がある。積層体構造化層により画定されるフィルタ開口部は、粒子を排除することにより粒子を除去する。粒子を排除せずに除去することは、構造化表面の形状構成の表面積により促進される。
【００１３】
本発明による濾過媒体は、表面フィルタではなく深部床フィルタとして動作することにより、全体の体積を使用するため、効率的かつ高容量であるという利点を有する。本発明の濾過媒体は、安価な可撓性または剛性ポリマーなど、様々な材料から容易かつ経済的に製造される。濾過媒体の構造化表面形状構成は、高度に調節可能かつ予測可能であり、規則正しく、公知の微細複製技術またはその他の技術を用いて高度の信頼性および再現性で成形可能である。この濾過媒体は、特定用途の濾過要件に適合する非常に多様な構成で製造することができる。この多様性は、構造化表面の形状構成の可能性、つまり不連続溝、開放溝または隆起；溝構成、つまり広い、狭い、「Ｖ」形、および／または下層の溝；、積層体構成、つまり接合または未接合、対面層、非対面層、付加層、整合配置溝、偏位溝、および／または溝のパターン；フィルタ開口部、つまり孔のサイズ、孔の構成または孔のパターンで明白である。さらに、濾過の強化またはその他の目的で層を処理する場合もある。
【００１４】
上記の利点は、構造化表面が層内に画定された少なくとも１つのポリマー層から形成される濾過媒体により得られる。層は、層の構造化表面が、積層体の前面に開口する複数の規則正しい入口および対応する規則正しい流体通路を画定している積層体として構成するか、または構造化表面がキャップ層を有する単一の層、または構造化表面を有する非キャップ層でも良い。積層構成またはキャップ付き構成の場合、層は、規則正しい多孔性の立体を形成する。濾過媒体の規則正しい流体通路は、層の構造化表面内に形成された複数の流路により画定されるか、または層の構造化表面内に形成された複数の不連続隆起により画定される。
【００１５】
複数の流路は、各々が２つの側壁を有する一連の頂点によって画定されることが好ましい。これらの頂点は、平面状の床か、または流路内の補助溝を形成する副頂点によって分離される。頂点は、隣接する流路に張り出すヘッドを有する。構造化表面を有する層の流路は、すべて同じであっても、異なっても良い。濾過媒体の各々の層は、同じ流路構成でも、異なる流路構成でも良い。隣接する層上の流路は整列させても、偏位させても良い。
【００１６】
濾過媒体の層の対は、互いに対面しており、対面する層は互いに係合する。層の両面には、構造化表面が画定される。追加の層を積層体に加えても良い。キャップ層は、層の上部部分を覆い、追加の層は、積層体の隣接層間に配置する。積層体の複数の層、または１つの層と１つのキャップ層は、一緒に接合される。各層は、同じかまたは異なるポリマー材料から成形することができる。濾過媒体は、粒子の除去を強化する、または油分および水分を跳ね返す、臭いを除去する、有機物質を除去する、オゾンを除去する、消毒する、乾燥する、および芳香を与えるなどのようなその他の利点を提供するように処理することができる。処理としては、層を帯電させてエレクトレットを形成する、層を表面塗布する、または処理済み層を追加するなどの処理がある。
【００１７】
上記の利点は、本発明の濾過媒体を使用して濾過する方法で得られる。この方法は、濾過媒体を形成し、濾過媒体を流体通路に配置し、流体を濾過媒体に通し、粒子を濾過媒体中の流体から除去することを含む。この方法は、構造化表面を有する層の積層体の一部分を特定の厚さにスライスして濾過媒体として使用し、濾過の利益を得るように層の一部分を処理し、および規則正しい流体通路を濾過媒体内に構成して、流体の流れを特定の方向に方向付けることをさらに含むことができる。
【００１８】
さらに、これらの利点は、本発明の濾過媒体を製造および使用する方法により得られる。この方法は、高度に規則正しい流対通路を画定する構造化表面を有する少なくとも１つの層を提供する。この方法は、構造化表面を有する複数の層を積層体として積み重ねて、積層体の前面に開いている複数の規則正しい入口、および対応する規則正しい流体通路を画定して、高度に規則正しい流体通路を画定する構造化表面を有する複数の層を形成し、その結果、規則正しい多孔性の立体を形成する。この方法は、流路内に規則正しい多孔性の立体を配置し、規則正しい多孔性の立体に流体を通し、規則正しい多孔性の立体内の流体から粒子を除去することをさらに含む。この方法は、層の一部分を接合し、層の一部分を特定の厚さにスライスし、濾過上の利益を与えるように層の一部分を処理し、規則正しい流体通路を濾過媒体内に構成して特定の目的地に流体の流れを方向付けることをさらに含む。
【００１９】
好適な実施態様の詳細な説明
添付の図面に関して、類似の構成要素は、いくつかの図面を通して類似の参照符号で示す。図１〜図４は、積重ね層１２を備える濾過媒体１０を示す。各々の層１２は、層の２つの主面の少なくとも一方に構造化表面１３を有し、構造化表面１３は、トポグラフィ（物体、物体の場所または領域表面の形状構成）を有する表面を含む。この実施態様では、構造化表面１３は、好ましくは図示のように一貫した規則正しい方法で層１２内に形成された複数の溝２５を含む。これらの溝２５は、側壁２６から構成され、側壁の間には平面状の床３０がある場合とない場合がある。積重ね層１２はともに、３次元の高度に規則正しい多孔性濾過媒体１０を形成し、空気などのような流体は、溝２５によって画定される規則正しい流体通路を介して媒体１０を貫通して流れることができ、微粒子またはその他の物質は、押し出されるか、および／または構造化表面に付着して、流体から除去することができる。「規則正しい」とは、媒体によって画定される通路が予め決定されることを意味する。以下に示すとおり、各々の通路は、同じ層または別の層の他の通路と同じである必要はない。しかし、各々の通路は、各々の通路が、各々の層１２の構造化表面１３の予め決められた構造によって決まるという点で予め決められる。多孔性媒体は、単に、流体が複数の単一通路によって媒体を貫通して流れることを可能にする媒体である。図３および図４は、多くの層１２から成る溝２５が高度に規則正しく配列された本発明による濾過媒体１０の実施態様を示す電子顕微鏡写真である。
【００２０】
層１２は各々、濾過媒体１０の特定の用途に応じて選択される類似するかまたは異なる可撓性、半剛性または剛性材料から成る。各々の層１２はポリマー材料を含むことが好ましい。なぜなら、ポリマー材料は、一般に比較的安価であり、構造化表面１３を正確に賦形することができるからである。たとえばフィルム層の形態のポリマー層１２を使用すると、フィルム層は、フィルム層の主面に多数かつ高密度の流路２５が画定された構造化表面を提供することができる。したがって、本発明による高度に規則正しい多孔性濾過媒体を高度に正確かつ経済的に製造しやすい。
【００２１】
図１〜図４に示すとおり、この濾過媒体１０は、層１２を互いの上に積み重ねて形成される。この方法では、任意の数の層１２を一緒に積み重ねて、具体的に特定の用途に基づいて設計された適度な高さおよび多孔性領域を有する濾過媒体１０を形成することができる。層１２を互いに直接積み重ねる１つの利点は、下の隣接層１２の溝２５にキャップを設けることができることである。したがって、各々の溝２５は、濾過媒体１０を通る流体の流れの個別通路になることができる。
【００２２】
層１２は、隣接する層のいくつかまたはすべての構造化表面１３の頂点２８に接合され、溝２５から個別通路を確実に形成する。こうした接合は、層１２の材料と相溶性の従来の接着剤を使用して行うか、または熱接合、超音波接合、機械的装置などを使用して行うことができる。接合は、頂点２８全体に沿って隣接表面１１に形成するか、または規則正しいパターンに従うかまたは不規則にスポット接合する。あるいは、層１２は、互いの層の上に単に積み重ねると、積層体の構造上の結合性によって、個別流路２５が適切に形成される。
【００２３】
下の層１２のいくつか、好ましくはすべての溝２５を閉鎖するには、図１に示すようにキャップ層２０を設けても良い。このキャップ層２０は、上記のように、各々の層相互の接合と同じかまたは異なる方法で接合するか、または接合以外の方法で積み重ねることができる。キャップ層２０の材料は、層１２の材料と同じでも異なっても良い。
【００２４】
図１、図３および図４に示す濾過媒体１０の実施態様は、規則正しい直線状の溝を含む。これらの溝は、正確な配列で整列される。つまり、各々の層の溝は他の層の溝と整合配置されて、規則的に整列した孔のパターンを形成する。あるいは、これらの溝は、規則正しく反復する方法で偏位させるか、または調整された方法で偏位させることができる。さらに、その他の溝および層構成も考えられる。
【００２５】
図３および図４は、構造化表面１３を有する濾過媒体８０の多数の層１２が、調整された規則正しい方法で積み重ねられている本発明による実施態様を示すが、これらの層１２は、必ずしも整列させる必要はない。結果として得られた層１２の積層体をスライスして、深さが調整された立体を形成した。図４は、図３の濾過媒体８０の一部分を拡大した状態を示す。各々の構造化表面１３は、床３０によって分離されている頂点２８によって画定される一貫した溝２５を含む。床３０は、二次的な溝３４を含む。（このタイプの溝構成は、図９に関して以下で詳細に説明する。）結果として得られる濾過媒体８０は、濾過される流体が内部を流れる高度に規則正しい多孔性表面を提供する。その結果、利用可能な溝２５は、深さが調整された濾過媒体８０を貫通する流路を提供する。
【００２６】
図５は、濾過媒体４０の各々の層４１〜４４が異なる溝構成を有し、層４１〜４４が様々な反復パターンで互いに配列されている実施態様を示す。図示のとおり、層４１は、一貫した広い溝４７を含み、層４２は、比較的狭く一貫した溝４８を含み、層４３は、広い溝４７に続いて狭い溝４８が反復するパターンを含み、層４４は、２つの狭い溝４８に続いて１つの広い溝４７が反復するパターンを含む。溝の反復パターンを無作為にしても良いし、あるいは、積層体を構成する層を一定のパターンで選択するか無作為な方法で選択しても良い。何れの場合も、これらの構成は規則正しい通路を形成する。つまり、開口部のサイズおよび形成される溝構造は予想どおりであるからである。図６は、各々の層４６の溝４９は一貫しているが、層４６相互の関係が別のパターンである濾過媒体４５の実施態様を示す。溝構成、溝の数および／または層の関係は、濾過媒体を必要とする特定の用途によって決まる。
【００２７】
図１１は、濾過媒体６０が、溝６４が構造化表面６１内の頂点６５によって画定されている類似の層６２、６３および７０を含む実施態様を示す。しかし、層６２、６３および７０は、互いに対する向きおよび反復パターンが異なる。層６２は上向きの層であり、層６３および７０は下向きの層である。これらの層６２、６３および７０はすべて、異なる積重ね構成で配置され、追加の層６６、６８および６９を備える。図示のとおり、これらの層は互いに対面するように配置するか、背中合わせで配列するか、または同じ向きに積み重ねることができる。さらに、相互の反復パターンによって、整列配置された溝または偏位した溝を多数の変形で形成することができる。図５、図６および図１１から明白なとおり、本発明により可能な溝および層構成は、どのような濾過要件も満たす多様性および適応性を提供する。
【００２８】
図１の実施態様は、複数の頂点２８と、一方の側縁部１４から他方の側縁部１５まで連続して形成された広い床３０を含む構造化表面１３を有するように示されているが、その他の溝構成も考えられる。殆どの場合、一連の頂点２８を層１２の一方の縁部１４から他方の縁部１５まで完全に形成することが望ましいが、用途によっては、特定の層１２の構造化表面１３の一部分に沿ってのみ頂点２８を延在させることが望ましい。さらに、濾過媒体１０の特定の用途は、濾過要件を満たすために形成される溝２５の数、タイプおよびサイズを決定する。
【００２９】
たとえば、図７に示すように、溝１６は、床で分離されていない連続する一連の頂点１８によって画定される。したがって、各々の連続頂点１８の側壁１７は収束して、溝１６の基部に線を画定する。このタイプの溝１６を有する層１２の積層体から形成された濾過媒体１０’を図２に示す。図８では、溝２５は、広く平らな床３０で分離されている連続する一連の頂点２７により画定される。各々の頂点２７は、上部が平らになっているため、隣接する層に容易に接合することができる。図９では（図３および図４と同様）、頂点２９の間に広い溝３２が画定されているが、溝側壁３１間に平らな床を形成するのではなく、複数の比較的小さい副頂点３３が形成されている。こうして、これらの副頂点３３は、副頂点３３の間に二次的な溝３４を画定する。副頂点３３は、頂点２９と同じ高さに達しても達しなくても良く、図示のとおり第１の広い溝３２を形成し、広い溝３２の中には、比較的小さい溝３４が分布している。頂点２９および副頂点３３は、これらの頂点自体または互いの頂点に関して均一に分布している必要はない。この構成は、濾過時に微粒子状物質が衝突する溝表面積の量を増加するという追加の利点がある。さらに、比較的小さい溝３４を使用すると、比較的広い溝３２を通る流体の流れを調節することができる。
【００３０】
図１〜図１１は、長形の直線状に構成された溝を示すが、溝は他の多くの構成で形成することができる。たとえば、溝は、溝の長さに沿って断面の幅を変化させても良い。つまり、溝は、溝の長さに沿って散開しても収束しても良い。溝の側壁は、溝が延在する方向に直線でなくても、溝の高さが直線ではなくても良い。概して、濾過媒体内の第１位置から第２位置まで延在する少なくとも複数の離散溝部分を提供できるどの溝構成も考えられる。
【００３１】
構造化表面濾過媒体は、特定の流体を媒体に循環させて、構造化表面に接触させることにより流体の特性に影響を及ぼすことが望ましい場合に、特に有用である。つまり、流体は、表面によって画定される溝を通過することにより処理される。流体の処理としては、溝の表面上、表面内または溝を貫通して配置された成分によって促進される化学反応、触媒反応およびイオン化反応がある。イオン化反応としては、電子ビーム、化学線および紫外線によって促進される反応がある。適切に調製された溝表面上に流体成分を吸収するなどのような分離処理は、溝の容積に占める溝の表面積の割合が高いため効果的であると思われる。同じ属性を使用して、通過する流体を探知または検出することができ、この場合、表面層が、探知器または検出器システム内の流体界面構成要素として作用する。流体検出システムは、流体の導電性、ｐＨ、温度または組成を監視する。あるいは、溝を循環するときに周囲環境によって影響を受ける流体は、装置自体が探知器または検出器システム内の構成要素として機能する検出システムの一部として監視することができる。流路の表面は、こうした物理的条件に反応するかまたは物理的条件を検出するように機能化することもできる。加熱または冷却を使用して、流体を熱処理することもできる。組成が異なる流体の流れを一緒に合流させて相互作用を及ぼし、反応、希釈またはブレンドを生じる手段として互いを処理することもできる。媒体から離して顕微鏡または分光計などのような観察、検出または分析装置を使用すると、流体が溝を通って薄膜内を通過するときに、流体を分析することができる。何れにしても、前述のどの実施態様の場合も、構造は、可撓性、半剛性または剛性材料から構成することができる。
【００３２】
図１０に示す濾過媒体５０のもう１つの実施態様では、構造化表面５１は、隣接する溝５２に覆い被さるヘッド５６を有する一連の頂点５４によって画定される溝５２を含む。これら頂点５４およびヘッド５６は、マッシュルーム形として示されているが、任意のヘッド状構成が考えられる。溝５２を含む対面する層５８および５９は、層５８および５９の溝５２を偏位させ、一方の層５８の頂点５４およびヘッド５６を他方の層５９の頂点５４およびヘッド５６と係合させて互いに積み重ねられている。したがって、一方の層５８の頂点５４およびヘッド５６は、他方の層５９の溝５２内に位置する。次に、係合した複数の層５８および５９を一緒に積み重ねて、濾過媒体５０を形成する。あるいは、層５８および５９は、非構造化表面５７が隣接層のキャップとして役立つように一緒に積み重ねられた非対面層でも良い。（図示しない。）上記のその他の実施態様と同様、層は積層体として一緒に接合しても、接合しなくても良い。この実施態様の結果として得られる溝構造は、濾過される流体に接触する溝表面を増加させ、その結果微粒子の除去を改善するという利点がある。
【００３３】
あるいは、濾過媒体５０は、構造化表面８２が、ヘッド付き溝ではなく、図１２に示すように不連続の、ヘッド付き突起８４の規則正しい配列を含む積重ね層８０から構成することができる。これら突起８４は、マッシュルーム状構造として形成しても良いが、その他のヘッド付き構造も考えられる。突起８４は、構造化表面８２上に整列された配列で形成するか、または偏位配列もしくはその他の規則正しいパターンで形成することができる。これら突起８４を含む層８０は、図１０の層５８および５９のように、層８０を向かい合わせにして、一方の層８０の突起を他方の層８０の突起８４間に係合させて一緒に積み重ねることができる。一方の層の突起は、隣接層の突起と同じである必要はない。あるいは、層８０は、非構造化表面８３が隣接層のキャップとして役立つように、一緒に積み重ねられた向かい合わせではない層でも良い。層５８、５９および８０をヘッド付き溝から形成するか、または不連続突起から形成するかに関係なく、濾過媒体５０を通る規則正しい通路が提供される。こうしたタイプの層は、表面積を減少させずに、つまり前面の表面積に関する固体率を減少させずに、体積当たりの開口部の割合を増加させ、その結果、流れ抵抗を増加させずに濾過効率を改善するという追加の利点を提供する。
【００３４】
本発明のいくつかの実施態様では、濾過媒体１０の構造化表面１３は、上記で意図した流路など、離散流路を画定する微細構造化表面である。本明細書で使用する場合、アスペクト比とは、溝の長さ対溝の水力半径の比率を意味し、水力半径は、溝の湿潤可能な断面積を湿潤可能な溝円周で除算した値である。本発明の実施態様が離散流路を含む場合、各々の溝は最小アスペクト比（長さ／水力半径）が１０：１であり、実施態様によっては、約１００：１を超え、その他の実施態様では、少なくとも約１０００：１である。上限では、アスペクト比は不定に高いが、概して約１，０００，０００：１未満である。同様に、こうした実施態様の場合、溝の水力半径は約３００μｍ以下であることが好ましい。多くの実施態様の場合、溝の水力半径は１００μｍ未満で良いが、１０μｍ未満の場合もある。多くの用途では、水力半径は小さい方が概して良いが（水力半径はミクロン以下のサイズの場合もある）、殆どの実施態様の場合、１μｍ未満ではない。これらの比率は具体的に示すのみで、本発明を制限する意図はない。
【００３５】
各々の層１２の構造化表面１３は、非常に低いプロファイルで形成することもできる。したがって、構造化ポリマー層の厚さが５０００μｍ未満、場合によっては１５００μｍ未満の濾過媒体層が考えられる。そのためには、高さが約５〜１２００μｍであるとともに、頂点間の距離が約１０〜２０００μｍである頂点で溝を画定する。しかし、特定の頂点高さおよび頂点間距離は、結果として得られる濾過媒体における全体的な固体率対表面積の関係ほど重要ではないと考えられる。流れ抵抗が重要な特定の用途では、溝の断面を増加するなどの方法で孔のサイズを大きくし、その結果、粒子の捕獲率を減少させる一方、フィルタを通る流体の流れを増加させると有利である。他の用途では、粒子捕獲のメカニズムと逆に、粒子の排除と表面積の拡大に特に有利なように、孔のサイズを小さくして孔の数を増やすと、さらに有利である。本発明は、非常に制御された予測可能な方法で濾過媒体を特別に作る能力を提供し、その結果、こうした類の用途に固有の濾過媒体を製造できるという明確な利点を有する。
【００３６】
本発明のいくつかの実施態様に有用な微細構造化表面は、システムの体積が高度に分散している流動システムを提供する。つまり、こうした流動システムを通過する流体の体積は、大面積上に分散する。この特徴は、多くの濾過用途にきわめて有利である。こうした微細構造化表面は、微細複製などのような公知の技術で製造することができる。微細複製とは、本明細書では、構造化表面の形状構成が、製造時に製品ごとに個々の形状構成の忠実度を保ち、忠実度の変化が約５０μｍ以下である工程により微細構造化表面を製造することを意味する。微細構造化表面は、構造化表面の形状構成が、製造時に製品ごとに個々の形状構成の忠実度を保ち、忠実度の変化が２５μｍ以下であるように製造することが好ましい。
【００３７】
再び図１、図３および図４を参照すると、すべての溝２５ではないが、少なくともいくつかの溝２５が、濾過媒体１０の前側２２で開いており、前面２４に孔を形成している。流体は、前面２４において濾過媒体１０内に入り、好ましくは溝２５を通過して、濾過媒体１０の裏面側２３から出て行く。少なくとも、本発明の構造化表面は、濾過媒体を貫通する調整された規則正しい通路を提供する。したがって、濾過目的に使用可能な表面積の量は、濾過媒体の体積によって決まる。つまり、濾過媒体層の構造化表面形状構成、たとえば溝の長さおよび溝の構成は、前面だけではなく、使用可能な表面積を決定する。
【００３８】
構造化表面が形成された単一の層は、本発明による機能的なフィルタ媒体を備えることもできる。特に、こうした構造化表面は、処理（濾過）される流体の流れが、構造化表面によって画定される通路を通って流れることを条件として、以下に記載するどの除去機構を使用しても、流体の流れから粒子を除去する機能を果たす。粒子除去機構は、やはり以下に記載するどの処理でも強化することができる。たとえば、本明細書に開示して意図する何れかの構造化表面を有する単一層は、導管内を流れる流体が、構造化表面内の少なくとも多少の部分を流れるように方向付けられる限り、導管の表面層として形成しても良い。
【００３９】
繊維状フィルタに使用可能な粒子除去のメカニズムは、本発明の濾過媒体濾過媒体に使用可能であり、繊維状濾過媒体に固有の制約がない。直接的な遮断は孔のサイズによって決まり、孔のサイズは、溝の断面および構成などのような構造化表面の特徴によって決まる。本発明では、溝などのような構造化表面の形状構成は、繊維状フィルタ、特に不織フィルタでは不可能な一貫した調整された予測可能な方法で、多様なサイズおよび構成で製造することができる。積み重ねられた構造化層の濾過媒体は、不織ウェブの孔のサイズに差がなく、著しく不規則ではない高度に規則正しく機械的に安定した多孔性表面を提供する。孔のサイズの変化性または不規則性は、本発明の濾過媒体を予定する最終的な濾過の必要性に基づいて計画および調整される。したがって、流体の流れは、流体が濾過媒体の前面を通過するときに均一な処理を施され、その結果、濾過媒体の濾過効率が強化される。
【００４０】
粒子の慣性密着および拡散捕獲は、本発明の濾過媒体の場合も生じる。こうした除去のメカニズムはどちらも、濾過媒体内の使用可能な表面積によって決まる。繊維状フィルタの場合、個々の繊維の表面積がこの表面積を提供する。本発明では、単一層であるかまたは複数層の積層体であるかに関係なく、この表面積は、表面積が溝の構成および長さによって画定される溝などのような構造化表面の形状構成の表面積によって提供される。流体の流れが、規則正しい通路を介して積重ね層の濾過媒体を通過するとき、前面の孔のサイズより小さい粒子は、繊維状フィルタについて上記で説明したように、粒子の密度またはブラウン運動により、側壁、床、キャップおよび構造化表面のその他の形状構成に衝突する。様々な溝構成を有する溝を含む構造化表面を使用すると、こうして粒子が衝突する能力が強化される。粒子の衝突能力は、接合層を使用して流体の流れを離散溝に制限するとさらに強化されるか、または溝間の流体の流れを制限しないことによりさらに強化される。こうして、限られた程度ではあるが、流体の流れを溝間に生じることができ、その結果、流体の流れに接触または隣接する表面積を増加することができる。
【００４１】
しかし、繊維状フィルタと異なり、本発明の濾過媒体は、表面の目詰まりを生じる表面装填フィルタとして機能するのではなく、濾過媒体全体を使用して、濾過媒体の濾過効率および能力を改善する深部床フィルタとして機能し、かつ低い流れ抵抗で機能する。この特徴は、本発明により可能な低い固体率、溝が遮断される可能性が低いこと、および調整されて予測可能な形成過程から生じる前面全体の表面積において孔および溝が一貫していることによる。深部床フィルタとして機能するこうした能力は、図４、図９および図１０に示す溝構成などのような溝構成を含む構造化表面を選択することによりさらに改善されるが、各々の溝内の使用可能な表面積は、補助溝またはその他の構造上の付加物により増加する。したがって、本発明の濾過媒体の能力および効率は、低面速度用途および高面速度用途の両方で同じ前面表面積を有する繊維状フィルタの場合に比べて著しく改善される。
【００４２】
本発明の濾過媒体のその他の利点として、孔のサイズおよび深さが多様な濾過媒体を正確かつ確実に製造できる能力が挙げられる。本発明の濾過媒体は、不織フィルタおよび繊維状フィルタに現在適用される形状構成サイズ、嵩密度および材料基準で製造することができるが、上記の追加の利点を有する。従来の繊維状フィルタ媒体は、折り重ねるか、または平らな状態で使用されるが、本発明の濾過媒体は、複数の自立構成に形成することができる。本発明の濾過媒体は、ある形状に構成するか、物体の上に被せるか、または力を加えても、溝が圧搾されたり閉塞したりすることはない。さらに、本発明の濾過媒体は、特に構造内の剛性構造要素として機能する能力により、繊維状フィルタの平らな形態ではなく３次元形態で使用できるため、新しい最終製品構成の配列を提供する。本発明の濾過媒体は、濾過媒体を細工する、たとえば折り重ねたり、処理したり、組み立てることによる破損を生じにくいという追加の利点をさらに有する。従来の繊維状フィルタの繊維の破損は、特に無菌室用途などにおいて多くの問題を生じる可能性がある。もう１つの利点は、通路を所望の方法で方向付けるように層の構造化表面を形成できることである。
【００４３】
最終製品に使用される濾過媒体の一例を図１３に示す。二重フィルタを有するレスピレータマスクでは、本発明の濾過媒体がフィルタとして使用されている。この種の用途で濾過媒体を使用すると、マスクに必要なフィルタ機能を得るために一般に必要なフィルタキャニスタが不要になるため、マスクの嵩および重量を減少させることができる。
【００４４】
濾過機能を強化するか、または所望の結果を得るため、本発明の濾過媒体は多くの方法で処理することができる。処理の一例を図１１に示す。濾過媒体６０は、層６２、６３および７０の積層体から成る。対面する層６２と６３との間には、各々の層６２および６３の溝６４の少なくともいくつかのキャップ層として機能する追加層６６が挿置される。追加層６６および６８で示されるように、後続の群の対面層間には、１種類の追加層を形成することができる。さらに、同じかまたは異なる追加層６９を非対面層７０の間に形成して、粒子の除去を改善するか、またはその他の利点を提供することができる。任意のタイプ、サイズ、構成および関係の構造化表面の形状構成が、追加層６６、６８または６９に使用されると考えられる。これら追加層６６、６８および６９は、その他の構造化層６２、６３または７０と同じかまたは類似の材料から構成するか、あるいは粒子の除去を強化するか、またはその他の所望の利点を提供して、意図する目的に効果的なその他の材料から構成することができる。
【００４５】
粒子の除去を強化するか、またはその他の所望の利点を与える材料としては、有機物質を除去するかまたは脱臭のための活性炭、ゼオライトまたはアルミノシリケートなどのような吸着剤；悪臭がある物質を分解するための銅−アスコルビン酸などのような脱臭触媒；シリカゲル、ゼオライト、塩化カルシウムまたは活性アルミナルなどのような乾燥剤；紫外線殺菌系などのような減菌剤；グロクサル、メタクリル酸エステルまたは香料などのような芳香剤；またはアルミナ、シリカ−アルミナ、ジルコニア、珪藻土、シリカ−ジルコニウムもしくはチタニアなどのような支持体上に支持されたＭｇ、Ａｇ、Ｆｅ、Ｃｏ、Ｎｉ、Ｐｔ、ＰｄもしくはＲｎなどのような金属を含むオゾン除去剤があり、単独で使用するかまたは基材に固定して使用される。上記材料の何れか、または上記に記載されていないが、所望の目的を満たすのに適し、本発明に効果的と思われるその他の材料は、任意の組み合わせで使用することができる。
【００４６】
本発明の濾過媒体に使用可能なもう１つのタイプの処理は、濾過材料の受動的または能動的帯電である。帯電は、孔のサイズより小さい粒子と構造化表面の表面積との間の吸引力を増加し、その結果、粒子除去の第３のメカニズムを強化することにより、濾過媒体が微粒子状物質を流体の流れから除去する能力を強化する。側壁付近を通過して衝突しない粒子は、流体の流れから比較的容易に吸引され、衝突する粒子は、比較的容易に付着する。帯電は、長時間持続する電荷を示す誘電体の一部であるエレクトレットにより提供される。エレクトレットを荷電可能な材料としては、ポリテトラフルオロエチレン（ＰＴＦＥ）およびポリプロピレンなどのような非極性ポリマーが挙げられる。概して、エレクトレットの正味電荷はゼロまたはゼロに近く、電界は電荷の分離によるものであり、正味電荷によって生じるのではない。材料および処理を適切に選択することにより、外側に静電界を生成するエレクトレットを構成することができる。こうしたエレクトレットは、静電気的に永久磁石の類同語である。
【００４７】
誘電体を荷電させるには、いくつかの方法が使用され、どの方法も、本発明の濾過媒体を荷電させるために使用でき、コロナ放電、荷電電界の存在下で材料を加熱または冷却する、ウェブに荷電粒子を噴霧する、および表面に噴射水または水滴の流れを衝突させるなどの方法がある。さらに、表面の荷電性は、ブレンドされた材料を使用することで強化することができる。荷電方法の一例は、ｖａｎ  Ｔｕｒｎｈｏｕｔ等に付与された米国再発行特許第３０，７８２号、ｖａｎ  Ｔｕｒｎｈｏｕｔ等に付与された米国再発行特許第３１，２８５号、Ａｎｇａｄｊｉｖａｎｄ等に付与された米国特許第５，４９６，５０７号、Ｊｏｎｅｓ等に付与された米国特許第５，４７２，４８１号、Ｋｕｂｉｋ等に付与された米国特許第４，２１５，６８２号、Ｎｉｓｈｉｕｒａ等に付与された米国特許第５，０５７，７１０号、Ｎａｋａｏに付与された米国特許第４，５９２，８１５号およびＢｒｏｗｎに付与された米国特許第４，７９８，８５０号に記載されている。
【００４８】
能動的荷電のタイプとしては、高電圧が印加される一方の面に金属化表面を有するフィルムを使用する方法がある。この方法は、本発明では、こうした金属化層を構造化層に隣接して追加するか、または構造化層の非構造化表面に金属コーティングを施して行われる。次に、こうした金属化層を含む濾過媒体を電圧源に接触させて取り付けると、金属化媒体層を貫通する電流が生じる。こうした能動的荷電の例は、Ｉｎｃｕｌｅｔに付与された米国特許第５，４０５，４３４号に開示されている。
【００４９】
本発明の濾過媒体に使用可能なもう１つのタイプの処理は、材料添加または材料塗布の形態でフルオロケミカル添加剤を使用して、フィルタが油分および水分を跳ね返す能力を改善し、フィルタが油性エアロゾールを濾過する能力を強化することである。こうした添加剤の例は、Ｊｏｎｅｓ等に付与された米国特許第５，４７２，４８１号、Ｃｒａｔｅｒ等に付与された米国特許第５，０９９，０２６号、およびＣｒａｔｅｒ等に付与された米国特許第５，０２５，０５２号に記載されている。
【００５０】
さらに、濾過媒体には、衝突する粒子を吸着するように考えられた粘着性物質を埋め込むか、塗布するか、またはその他の方法で処理することができる。濾過媒体には、何らかの方法で流体の流れに反応して、濾過を強化するかまたはその他の結果を得るように考えられた化学反応体またはその他の化合物を埋め込むか、塗布するか、またはその他の方法で処理することができる。これらのタイプの化合物および結果は、追加層による処理に関して上記に記載したものに類似している。これらの化合物は、有機分子の除去または脱臭用の活性炭素、ゼオライトまたはアルミノシリケートなどのような吸着剤；悪臭がある物質を分解するための銅−アスコルビン酸などのような脱臭触媒；シリカゲル、ゼオライト、塩化カルシウムまたは活性アルミナルなどのような乾燥剤；紫外線殺菌系などのような減菌剤；またはアルミナ、シリカ−アルミナ、ジルコニア、珪藻土、シリカ−ジルコニウムもしくはチタニアなどのような支持体上に支持されたＭｇ、Ａｇ、Ｆｅ、Ｃｏ、Ｎｉ、Ｐｔ、ＰｄもしくはＲｎなどのような金属を含むオゾン除去剤がある。
【００５１】
構造化表面、特に微細構造化表面をポリマーフィルムなどのようなポリマー層上に形成することは、ともにＭａｒｅｎｔｉｃ等に付与された米国特許第５，０６９，４０３号および第５，１３３，５１６号に記載されている。構造化層は、Ｂｅｎｓｏｎ  Ｊｒ．等に付与された米国特許第５，６９１，８４６号に記載されている原理またはステップを用いて連続的に微細複製することもできる。微細構造化表面について記載しているその他の特許としては、Ｊｏｈｎｓｔｏｎ等に付与された米国特許第５，５１４，１２０号、Ｎｏｒｅｅｎ等に付与された第５，１５８，５５７号、Ｌｕ等に付与された米国特許第５，１７５，０３０号およびＢａｒｂｅｒに付与された第４，６６８，５５８号が挙げられる。
【００５２】
こうした技術により製造される構造化ポリマー層は、微細複製することができる。微細複製された構造化層を形成すると、製品ごとに実質的に変化しない状態で、かつ比較的複雑な処理技術を使用せずに、表面を大量生産することができるため有利である。「微細複製」または「微細複製された」とは、構造化表面の形状構成が、個々の形状構成の忠実度を製造時に製品ごとに約５０μｍ以下しか変化しない状態で保つ工程により、微細構造化表面を製造することを意味する。微細複製表面は、構造化表面の形状構成が、個々の形状構成の忠実度を製造時に製品ごとに２５μｍ以下しか変化しない状態で保持するように製造することが好ましい。
【００５３】
本発明のどの実施態様の濾過媒体層も、熱可塑性、熱硬化性および硬化性ポリマーなどのような様々なポリマーから構成することができる。本明細書で使用する場合、熱可塑性とは、熱硬化性と異なり、熱を加えられたときに軟化および融解し、冷却されたときに再凝固して、何度も融解および凝固できるポリマーを意味する。一方、熱硬化性ポリマーは、加熱または冷却されたときに不可逆的に凝固する。ポリマー鎖が相互に連結するかまたは架橋する硬化ポリマー系は、化学薬剤または電離線を使用して室温で形成することができる。
【００５４】
本発明の製品に構造化層を形成するのに有用なポリマーとしては、ポリエチレンおよびポリエチレンコポリマーなどのようなポリオレフィン、ポリ二フッ化ビニリデン（ＰＶＤＦ））、ポリテトラフルオロエチレン（ＰＴＦＥ）が挙げられるが、これらだけに限らない。その他のポリマー材料としては、アセテート、セルロースエーテル、ポリビニルアルコール、多糖、ポリオレフィン、ポリエステル、ポリアミド、ポリ（塩化ビニル）、ポリウレタン、ポリウレア、ポリカーボネート、およびポリスチレンがある。構造化層は、アクリレートまたはエポキシ樹脂などのような硬化性樹脂材料から成型することができ、熱、紫外線または電子ビーム放射線に暴露することにより化学的に促進された遊離基重合過程から硬化させることができる。
【００５５】
可撓性フィルタ媒体が望ましい用途がある。可撓性は、Ｓｍｉｔｈ等に付与された米国特許第５，４５０，２３５号およびＢｅｎｓｏｎ，Ｊｒ．等に付与された第５，６９１，８４６号に記載されているポリマーを使用して構造化ポリマー層に与えることができる。ポリマー層全体を可撓性ポリマー材料から製造する必要はない。たとえば、層の一部分を可撓性ポリマーから構成し、構造化部分または構造化部分の一部分をより剛性のポリマーから構成しても良い。この段落で引用する特許は、ポリマーをこのように使用して、微細構造化表面を有する可撓性製品を製造することを記載している。
【００５６】
ポリマーブレンドを含むポリマー材料は、界面活性剤または抗菌剤などのような可塑化活性剤を溶融ブレンドして変性させることができる。構造化表面の表面変性は、電離線を使用して官能性部分を蒸着するか、または共有グラフト結合して行うことができる。たとえば電離線によりモノマーをポリプロピレン上にグラフト重合させる方法および技術は、米国特許第４，９５０，５４９号および第５，０７８，９２５号に開示されている。ポリマーは、様々な特性をポリマー構造化層に与える添加剤をさらに含むことができる。たとえば、可塑剤を添加すると、弾性率を低下させて可撓性を改善することができる。
【００５７】
本発明の濾過媒体は、層を形成する所望の材料で開始する。必要な１つまたは複数の厚さを有するこれら材料の適切なシートは、微細複製などのような方法により（つまり、フィルムをパターン化ロールまたはベルト上にキャストして）、所望の表面トポグラフィで形成される。構造化表面を有する単一層は、処理される気体の流れによって、表面構造により画定される通路を通る流れが生じることを条件として、フィルタとして機能することができる。１つまたは複数の層は、さらに、覆うかまたは積み重ねて、フィルタとして使用することができる。積重ね層は、追加の層の有無に関わらず、予め決められたパターンまたは関係で向きを決め、適切な体積の層を構成することができる。これらの層は、上記のとおり一緒に接合するか、または接合せずに層相互の関係を保つことができる。次に、結果として得られた体積の層は、スライスするかまたはその他の方法で所望の厚さの濾過媒体に転換される。次に、この濾過媒体を最終的に使用可能な形態に取り付けるか、またはその他の方法で組み立てる。上記のとおり、所望の処理は、製造工程の適切な段階で適用することができる。さらに、本発明による濾過媒体は、前面上の不織繊維材料の層などのようなその他の濾過材料と結合するか、またはその他の非濾過材料と結合させて、取扱い、取付け、組立てまたは使用などを容易にすることができる。
【００５８】
本発明の好ましい実施態様は、微細構造を支持する要素として平行な線形トポグラフィを有する薄い可撓性ポリマーフィルムを使用する。本発明の目的上、「フィルム」は、ポリマー材料の薄い（５ｍｍ厚未満）ほぼ可撓性のシートであると考える。高度に画定された微細構造支持フィルム表面を有する安価なフィルムを使用する経済的価値は大きい。可撓性フィルムは、多様なその他の材料と組み合わせて使用することができ、必要なら支持されない状態で使用するか、または支持本体と組み合わせて使用することができる。こうした微細構造化表面、およびその他の層を設ける場合、その他の層から形成されたフィルタ媒体は、多くの用途に対応性があるが、用途に応じて必要な場合、剛性の構造化本体と一体にすることができる。
【００５９】
本発明のフィルタ媒体の１つまたは複数の構造化層が微細構造化溝を備える実施態様では、こうした装置は、１つの装置ごとに複数の溝を使用する。上記の実施態様のいつかに示すように、こうした微細構造化層は、１つの層当たり１０個または１００個を超える溝を容易に有することができる。用途によっては、１つの層当たり１，０００個または１０，０００個を超える溝を有する場合がある。
【００６０】
上記に引用した特許および特許出願はすべて、引用することにより本明細書に完全に包含される。さらに、本出願は、本出願と同一の譲受人が所有しており、本出願と同一の日に提出された以下の特許出願を本明細書で引用することにより包含する：Ｉｎｓｌｅｙ等の米国特許出願第０９／０９９，２６９号「Ｍｉｃｒｏｃｈａｎｎｅｌｅｄ  Ａｃｔｉｖｅ  Ｆｌｕｉｄ  Ｔｒａｎｓｐｏｒｔ  Ｄｅｖｉｃｅｓ」（微細溝付き能動的流体搬送装置）；Ｉｎｓｌｅｙ等の米国特許出願第０９／０９９，６３２号「Ｍｉｃｒｏｃｈａｎｎｅｌｅｄ  Ａｃｔｉｖｅ  Ｆｌｕｉｄ  Ｈｅａｔ  Ｅｘｃｈａｎｇｅｒ」（微細溝付き能動的流体熱交換器）；Ｉｎｓｌｅｙ等の米国特許出願第０９／１００，１６３号「Ｍｉｃｒｏｓｔｒｕｃｔｕｒｅｄ  Ｓｅｐａｒａｔｉｏｎ  Ｄｅｖｉｃｅ」（微細構造化分離装置）；およびＩｎｓｌｅｙ等の米国特許出願第０９／０９９，５６５号「Ｆｌｕｉｄ  Ｇｕｉｄｅ  Ｄｅｖｉｃｅ  Ｈａｖｉｎｇ  ａｎ  Ｏｐｅｎ  Ｍｉｃｒｏｓｔｒｕｃｔｕｒｅｄ  Ｓｕｒｆａｃｅ  ｆｏｒ  Ａｔｔａｃｈｍｅｎｔ  ｔｏ  ａ  Ｆｌｕｉｄ  Ｔｒａｎｓｐｏｒｔ  Ｄｅｖｉｃｅ」（流体搬送装置に取り付けるための開放構造化表面を有する流体案内装置）。
【００６１】
本発明について、好ましい実施態様に関して説明してきたが、当業者は、本発明の精神および範囲を逸脱せずに、形態および詳細に変更を加えることができることが分かるであろう。
【図面の簡単な説明】
【図１】  本発明による濾過媒体を形成する構造化表面を有する層から成る積層体の斜視図である。
【図２】  図１の濾過媒体を形成する構造化表面を有する層から成る積層体の端面図である。
【図３】  構造化表面を有する層から形成した濾過媒体の斜視図である。
【図４】  図３に示す濾過媒体の一部分の拡大図である。
【図５】  構造化表面を有する積層体の端面図であり、本発明による濾過媒体に使用する代替層構成を示す。
【図６】  構造化表面を有する積層体の端面図であり、本発明による濾過媒体に使用されるもう１つの代替層構成を示す。
【図７】  構造化表面を有する層の端面図であり、本発明による濾過媒体に使用される１つの特定の溝構成を示す。
【図８】  構造化表面を有する層の端面図であり、本発明による濾過媒体に使用されるもう１つの溝構成を示す。
【図９】  構造化表面を有する層の端面図であり、本発明による濾過媒体に使用されるさらにもう１つの溝構成を示す。
【図１０】  構造化表面を有する層の積層体であって、対面する層がヘッド付きの溝により係合する積層体の端面図である。
【図１１】  構造化表面を有する層の積層体であって、追加の層が、対面する層と対面しない層との間に挿置されている積層体の端面図である。
【図１２】  離散したヘッド付き隆起が規則正しい配列で形成された構造化表面を有する層の一部分の斜視図である。
【図１３】  本発明による濾過媒体を使用するレスピレータマスクの正面図である。
【図１】
0004183911.tif 000002
【図２】
0004183911.tif 000003
【図３】
0004183911.tif 000004
【図４】
0004183911.tif 000005
【図５】
0004183911.tif 000006
【図６】
0004183911.tif 000007
【図７】
0004183911.tif 000008
【図８】
0004183911.tif 000009
【図９】
0004183911.tif 000010
【図１０】
0004183911.tif 000011
【図１１】
0004183911.tif 000012
【図１２】
0004183911.tif 000013
【図１３】
0004183911.tif 000014